(57)【要約】      （修正有）【課題】複数のＬＥＤを配置した金属ベース絶縁基板と反射板を用いて、直接光と間接光を活用できるＬＥＤ照明装置を提供する。【解決手段】ＬＥＤ１０と反射板８とで構成される照明装置であって、複数のＬＥＤを配置した金属ベース絶縁基盤と、該絶縁基板を取り付け一端側を開放した筐体と、該筐体の内面に前記ＬＥＤを配置した絶縁基板のＬＥＤ配置面を囲み、該ＬＥＤの光を反射する反射板と、前記絶縁基板の金属ベース面と面接触し、該金属ベース面後方から前記筐体を挿通して延出する放熱板５とから構成される。【選択図】図１
0003149696.tif 000002
【実用新案登録請求の範囲】
【請求項１】
ＬＥＤと反射板とで構成される照明装置であって、複数のＬＥＤを配置した金属ベース絶縁基盤と、該絶縁基板を取り付け一端側を開放した筐体と、該筐体の内面に前記ＬＥＤを配置した絶縁基板のＬＥＤ配置面を囲み、該ＬＥＤの光を反射する反射板と、前記絶縁基板の金属ベース面と面接触し、該金属ベース面後方から前記筐体を挿通して延出する放熱板とから構成されたことを特徴とするＬＥＤ照明装置。
【請求項２】
前記反射板は、前記ＬＥＤを配置した絶縁基板のＬＥＤ配置面を囲み、前記筐体の開放側に向かって傾斜して配置された複数の略台形形状の金属製鏡面板であることを特徴とする請求項１記載のＬＥＤ照明装置。
【考案の詳細な説明】
【技術分野】
【０００１】
本考案は、照明装置であって、とくに複数のＬＥＤを配置した絶縁基板と反射板を用い、ＬＥＤの直接光と反射板による間接光とを利用したＬＥＤ照明装置に関するものである。
【背景技術】
【０００２】
近年、ＬＥＤを使用した各種の照明装置が提案され商品化されている。ＬＥＤは従来の光源の構成と異なり、長寿命であり、消費電力が少ないという特徴がある。
【０００３】
この特徴を利用するＬＥＤ照明光源として、基板上に複数のＬＥＤベアチップを高密度実装し、当該ＬＥＤベアチップ表面を光透過樹脂で被装してなるＬＥＤモジュールがある（特許文献１参照。）。また、所定の照射範囲と略対向した主面と、当該主面の背面側に所定のテーパを以って形成されて所定の照射範囲から視認不能なテーパ面とを有する立体状の絶縁性基材に、絶縁性基材の主面に設けられた直接照明用ＬＥＤと、テーパ面に設けられた間接照明用ＬＥＤと、間接照明用ＬＥＤから出射されたＬＥＤ光が入射されて、所定の照射範囲に向けて反射する反射板からなるＬＥＤランプもある（特許文献１参照。）。
【先行技術文献】
【特許文献】
【０００４】
【特許文献１】特開２００３−１２４５２８号公報
【特許文献２】特開２００８−９１２３８号公報
【考案の概要】
【考案が解決しようとする課題】
【０００５】
しかしながら、上記特許文献１に提案されている技術は、複数のＬＥＤベアチップを基板上に高密度実装したＬＥＤモジュールであり、コネクターによって取り付け、取り外しが容易で、放熱性を考慮した照明光源を提供するものであるが、反射板を使用する照明装置に関しては、具体的な提案はなされていないものであった。また、特許文献２に記載された技術は、単一の光源によって直接照明と間接照明を実現するものであるが、放熱性を考慮した構成ではなかった。
【０００６】
上記の問題点に鑑み本考案者は、複数のＬＥＤを配置した金属ベース絶縁基板と反射板を用いて、ＬＥＤの直接光と反射板による間接光とを活用すると共に、放熱板を有効に使用してＬＥＤから発生する熱を効率よく放熱できるＬＥＤ照明装置を提供するに至った。
【課題を解決するための手段】
【０００７】
このため、本発明のＬＥＤ照明装置は、ＬＥＤと反射板とで構成される照明装置であって、複数のＬＥＤを配置した金属ベース絶縁基盤と、該絶縁基板を取り付け一端側を開放した筐体と、該筐体の内面にＬＥＤを配置した絶縁基板のＬＥＤ配置面を囲み、該ＬＥＤの光を反射する反射板と、前記絶縁基板の金属ベース面と面接触し、該金属ベース面後方から前記筐体を挿通して延出する放熱板とから構成されたことを特徴とする。
【０００８】
また、前記反射板は、前記ＬＥＤを配置した絶縁基板のＬＥＤ配置面を囲み、前記筐体の開放側に向かって傾斜して配置された複数の略台形形状の金属製鏡面板であることを特徴とする。
【０００９】
尚、本考案に使用する絶縁基板としては、アルミや鉄などを基材とする絶縁基板に電気回路が形成されたものが望ましい。
【考案の効果】
【００１０】
本考案に係るＬＥＤ照明装置によれば、複数のＬＥＤを配置した金属ベース絶縁基盤の金属ベース面と面接触し、該金属ベース面後方から前記筐体を挿通して延出する放熱板を有しているため、効率よくＬＥＤの発生する熱を放熱することができるという効果を有する。
【００１１】
また、筐体の内面には、複数のＬＥＤを配置した絶縁基板のＬＥＤ配置面を囲み、前記筐体の開放面に向かって傾斜して配置された複数の略台形形状の金属製鏡面板が取り付けられており、ＬＥＤからの直接光と反射板からの間接光を効率よく活用することができる。
【図面の簡単な説明】
【００１２】
【図１】本考案に係るＬＥＤ照明装置の一実施例を示す斜視図である。
【図２】図１の説明図である。
【考案を実施するための最良の形態】
【００１３】
以下、本考案を実施例を示す図面を参照しながら説明するが、本考案が本実施例に限定されないことは言うまでもない。図１は、本考案のＬＥＤ照明装置の一実施例を示す斜視図、図２は図１の説明図であり、（ａ）は側面説明図、（ｂ）は平面説明図、（ｃ）は正面説明図である。尚、図１及び図２は、本考案のＬＥＤ照明装置を２個連結したものであるが、左右の筐体は共通であり、片方の筐体で説明する。
【実施例】
【００１４】
図１、図２に示すように、本考案のＬＥＤ照明装置１は、一端側が開放された金属製の筐体からなる装置本体２と、装置本体２の内部に設けられた取付部３にボルト４よって取り付けられた放熱板５と、この放熱板５の上面に取付けられたＬＥＤ基板６と、前記放熱板５の四方から装置本体２の開放面７側に傾斜して取付けられた４枚の反射板８とから構成され、電源装置９からの給電によってＬＥＤ基板６の表面に配置された複数のＬＥＤ１０が駆動されて発光し、開放面５から放光する。
【００１５】
放熱板５は、アルミ、銅などの熱伝導性に優れた矩形の金属板が使用され、側面視コの字形状に形成されている。そして装置本体２の取付部３から後方に突出して、放熱フィン１１を形成するとともに、後述するＬＥＤ基板６の金属ベース面と面接触して、ＬＥＤ１０から発生する熱を放熱する。
【００１６】
ＬＥＤ基板６は、アルミ基材表面に絶縁層が形成された絶縁基板１２に回路パターン（図せず）が形成され、接続用金属ペーストを介してＬＥＤ１０が実装されて構成されている。そして上記放熱板５にアルミ基材面が接触してボルト１３によって取り付けられ、コネクター(図示せず）を介して上述した電源装置９と接続される。
【００１７】
反射板８、アルミ板からなり、その表面に高純度のチタン及びシリコンをコーティングし反射率が９０％以上とされたものであり、平面視で略台形形状に形成され上記放熱板５の４辺の位置から装置本体２の開放面７側に傾斜して取付られ、上記ＬＥＤ基板６を周囲から囲むことによって、ＬＥＤ１０が発する光を効率よく反射して間接光を開放面７から照射する。尚、反射板８は装置本体２の開放面７周囲部に形成された縁部１４に屈曲して取付けられ、ボルトによって固定されている。そして、開放面７には防水用パッキン（図示せず）を介してアクリル製透明カバー１５が取り付けられる。
【００１８】
上記の構成からなる、本考案のＬＥＤ照明装置は、複数のＬＥＤを配置した金属ベース絶縁基盤の金属ベース面と面接触し、該金属ベース面後方から前記筐体を挿通して延出する放熱板を有しているため、効率よくＬＥＤの発生する熱を放熱するすることができる。しかも、ＬＥＤが配置された絶縁基板面のＬＥＤ配置面を囲み、前記筐体の開放面に向かって傾斜して配置された複数の略台形形状の金属製鏡面板が取り付けられており、ＬＥＤからの直接光と反射板からの間接光を効率よく活用することができる。尚、本実施例においてはＬＥＤ照明装置を２個連結した構成であるるが、１個単独で使用してもよく、さらにヒンジなどによって回動可能に複数個連結して多方向に光を照射する構成であってもかまわない。
【００１９】
以上、本考案のＬＥＤ照明装置によれば、複数のＬＥＤを配置した絶縁基板のＬＥＤ配置面と対向して反射板が取り付けられており、ＬＥＤからの直接光と反射板からの間接光を効率よく活用することができると共に、複数のＬＥＤを配置した絶縁基盤と、高熱伝導性金属板とを取り付けたため、効率よくＬＥＤの発生する熱を放熱することができる。
【符号の説明】
【００２０】
１              ＬＥＤ照明装置
２              装置本体
３              取付部
４、１３        ボルト
５              放熱板
６              ＬＥＤ基板
７              開放面
８              反射板
９              電源装置
１０              ＬＥＤ
１１              放熱フィン
１２              絶縁基板
１４              縁部
１５              透明カバー
【図１】
0003149696.tif 000003
【図２】
0003149696.tif 000004